(57)【要約】【課題】  時計ユニットを装着部材（バンド）に対して自在に回動することができ、時刻表示部が視認し易く、斬新なデザインの時計を低コストで提供する。【解決手段】  時計１０は、時計ユニット２０が、時刻表示部とムーブメント２６とを格納するケース３０と、ケース３０をバンド８０に形成された椀状凹部８８に着脱自在に取り付けるための時計ユニット支持部材５０と、該時計ユニット支持部材５０をケース３０に回動可能に保持するためのバックプレート６０と、を備え、バンド８０が、前記時計ユニット支持部材５０を固定する時計ユニット固定部材８５を備え、時計ユニット２０が、所定の回動制動力をもって所定の範囲内で前記椀状凹部８８に沿って、回動自在にバンド８０に取り付けられている。【選択図】      図２
2006201052.tif 000002
【特許請求の範囲】
【請求項１】
時計ユニットが、時刻表示部とムーブメントとを格納するケースと、該ケースを装着部
材に形成された椀状凹部に着脱自在に取り付けるための時計ユニット支持部材と、該時計
ユニット支持部材を前記ケースに回動可能に保持するためのバックプレートと、を備え、
前記装着部材が、前記時計ユニット支持部材を固定する時計ユニット固定部を備え、
前記時計ユニットが、所定の回動制動力をもって所定の範囲内で前記椀状凹部に沿って
、回動自在に前記装着部材に取り付けられていることを特徴とする時計。
【請求項２】
請求項１に記載の時計において、
前記ケースと前記時計ユニット支持部材との間に、前記時計ユニットの回動制動力を与
える回動制動力保持部材を、さらに備えていることを特徴とする時計。
【請求項３】
請求項１または請求項２に記載の時計において、
前記回動制動力保持部材が、金属よりも摩擦係数が大きく、弾性を有する非金属材料か
らなることを特徴とする時計。
【請求項４】
請求項２または請求項３に記載の時計において、
前記回動制動力保持部材が、ゴム系樹脂からなることを特徴とする時計。
【請求項５】
請求項１に記載の時計において、
前記時計ユニット支持部材の前記ケースとの接触面に金属よりも摩擦係数が大きい皮膜
が形成されていることを特徴とする時計。
【請求項６】
請求項１に記載の時計において、
前記バックプレートと前記椀状凹部との接触面の範囲に、ゴム系樹脂からなるリング状
の回動制動力保持部材を、さらに備えていることを特徴とする時計。
【請求項７】
請求項１に記載の時計において、
前記ケースと前記時計ユニット支持部材とのそれぞれの接触面、または前記バックプレ
ートと前記椀状凹部とのそれぞれの接触面のいずれかに、回動制動力を与えるための凹凸
が形成され、前記凹凸の位相が一致していることを特徴とする時計。
【請求項８】
請求項１ないし請求項７のいずれか一項に記載の時計において、
前記バックプレートに設けられた回動規制孔と、該回動規制孔の中にあって前記時計ユ
ニット支持部材に形成された軸部とによって、前記時計ユニットが回動する範囲が規制さ
れていることを特徴とする時計。
【請求項９】
請求項１ないし請求項８のいずれか一項に記載の時計において、
前記時刻表示部を構成する文字板、指針、風防ガラスのいずれかが、前記椀状凹部に近
い曲率を有して湾曲されていることを特徴とする時計。
【発明の詳細な説明】
【技術分野】
【０００１】
本発明は、時計の構造に関し、詳しくは装着部材に対して時計ユニットが自在に回動で
きる時計に関する。
【背景技術】
【０００２】
従来、バンドに対して時刻表示部を有する時計ケースを立ち上げることができる時計の
ケースの構造において、バンドを取り付ける二つの孔と中央部のバンド短手方向に設けら
れ、前記時計ケースに係合する二つの係合部材を有する基台と、下方のバンド長手方向に
突出部とこの突出部に前記係合部材が係合し摺動する円弧状の係合孔とを有する時計ケー
スとから構成され、前記基台に対して時計ケースを傾斜を持って立ち上げることができる
時計ケースを有する時計というものが知られている（例えば、特許文献１参照）。
【０００３】
【特許文献１】特開２００３−１３５１１２号公報（第４頁、図２）
【発明の開示】
【発明が解決しようとする課題】
【０００４】
このような特許文献１では、バンドに取り付けられる基台に時計ケースに係合する係合
部材を設け、時計ケースには、係合部材が係合して摺動する円弧状の係合孔を有している
ために、時計ケースを基台に対して傾斜することができるが、傾斜できる方向は一方向（
バンド長手方向）のみであり、幅方向への傾斜や、時計体を回転することはできないとい
うような課題がある。
【０００５】
また、時計体の傾斜角度は、ケースに備えられる係合部材と基台に設けられる突出部と
によって規制されるため、傾斜角度の分割数には限界があり、任意の角度に傾斜させるこ
とができない。
【０００６】
さらに、基台とバンドとは別体で構成され、傾斜角度を決める位置決め部材、係合部材
等が必要であると共に、基台の突出部の円弧状斜面内部に突出部を形成することは、製造
上困難であるため、製造コストの低減が難しいことが予測される。
【０００７】
本発明の目的は、前述の課題を解決することを要旨とし、時計ユニットを装着部材（バ
ンド）に対して自在に回動することができ、時刻表示が視認し易く、斬新なデザインの時
計を低コストで提供することである。
【課題を解決するための手段】
【０００８】
本発明の時計は、時計ユニットが、時刻表示部とムーブメントとを格納するケースと、
前記ケースを装着部材に形成された椀状凹部に着脱自在に取り付けるための時計ユニット
支持部材と、該時計ユニット支持部材を前記ケースに回動可能に保持するためのバックプ
レートと、を備え、前記装着部材が、前記時計ユニット支持部材を固定する時計ユニット
固定部を備え、前記時計ユニットが、所定の回動制動力をもって所定の範囲内で前記椀状
凹部に沿って、回動自在に前記装着部材に取り付けられていることを特徴とする。
【０００９】
本発明によれば、時計ユニットが、装着部材に対して回動自在な構造であるために、時
計ユニットを腕に装着するとき、または装着したときに、装着部材に対して（つまり装着
する腕に対して）断面方向へ傾斜させる、或いは、回転させることによって、時刻表示部
が使用者にとって視認しやすい姿勢に自在に保持することができる。
【００１０】
また、時計ユニットは、装着部材の椀状凹部の表面に沿って摺動するので、時計ユニッ
トの装着姿勢を自在に選択できる他、所定の回動制動力を有しているので、通常の生活環
境において、無意識に時計ユニットが回動してしまうことがない。
【００１１】
さらに、本発明の時計は、前述したような構造であり、本発明の目的を実現するための
構造は簡単であり、構成部品数も少なくでき、また、構成部品の製造も容易であり、時計
ユニットが自在に回動できる機能を備えながら低コストの時計を実現することができる。
【００１２】
また、前述の構造では、前記ケースと前記時計ユニット支持部材との間に、前記時計ユ
ニットの回動制動力を与える回動制動力保持部材を、さらに備えていることが好ましい。
ここで、回動制動力とは、例えば、時計ユニットが装着部材に所定の姿勢で保持される
ための力、言い換えれば、時計体を回動するときに必要とされる力を意味する。
【００１３】
このように回動制動力保持部材を備えているので、時計ユニットと装着部材との回動制
動力を安定して維持することができる。このことによって、時計ユニットがバンドに対し
て自在に回動可能な時計において、回動耐久性が高く、長期間にわたって安定した回動制
動力を維持することができ、また、通常の生活環境において、無意識に時計ユニットが回
動してしまうことがない時計を提供することができる。
【００１４】
また、前記回動制動力保持部材が、金属よりも摩擦係数が大きく、弾性を有する非金属
材料からなることが好ましい。
【００１５】
このようにすれば、ケースと時計ユニット支持部材の間に備えられる回動制動力保持部
材の摩擦力と弾性力によって回動制動力が得られるため、時計ユニット支持部材の付勢力
を大きくしなくてもよく、簡単な構造で所望の回動制動力が得られる。
【００１６】
また、前記回動制動力保持部材が、ゴム系樹脂からなることが好ましい。
ここで、ゴム系樹脂としては、例えば、シリコン系ゴム、ウレタン系ゴム、ニトリロゴ
ム（ＮＢＲ）、ブチルゴム（ＩＩＲ）等を採用することができる。
【００１７】
回動制動力保持部材が、上述のようなゴム系樹脂であるために、適度な摩擦力と弾性力
と耐久性を得ることができる。これらの材料は一般にパッキン等に使用されるもので安価
に入手することができ、また、加工性、取り扱い性が容易で、耐薬品性などの環境特性に
も優れ、長期間にわたって初期の性能を維持することができる。
【００１８】
また、前記時計ユニット支持部材の前記ケースとの接触面に金属よりも摩擦係数が大き
い皮膜が形成されていることが好ましい。
【００１９】
このようにすれば、前述した回動制動力保持部材をなくし、時計ユニット支持部材とケ
ースとの接触面において、皮膜の摩擦力によって適切な回動制動力を得ることができ、構
成部品数を減じ、また時計の小型化を可能にすることができる。
【００２０】
また、本発明では、前記バックプレートと前記椀状凹部との接触面の範囲に、ゴム系樹
脂からなるリング状の回動制動力保持部材を、さらに備えていることが好ましい。
【００２１】
このような構造にすれば、バックプレートと装着部材に形成される椀状凹部との間で、
リング状の回動制動力保持部材によって所望の回動制動力を得ることができ、また、この
回動制動力保持部材は、時計ユニットと装着部材との間に備えられることになるため、バ
ックプレートとケースとの間に水分や塵埃等の進入を防止するパッキンとしての機能も有
し、バックプレートとケースの間の構成部品の防錆効果がある。
【００２２】
また、前記ケースと前記時計ユニット支持部材とのそれぞれの接触面、または前記バッ
クプレートと前記椀状凹部とのそれぞれの接触面のいずれかに、回動制動力を与えるため
の凹凸が形成され、前記凹凸の位相が一致していることが好ましい。
ここでいう凹凸とは、例えば、ゴルフボールのカバーに形成されるディンプルのような
凹凸が考えられる。
【００２３】
このような凹凸は、接触している二面のうち、一方の面には凹部を形成し、他方の面に
は凸部を形成し、この凹部と凸部とはそれぞれ位相を一致しているので、凸部が凹部に入
った時には時計ユニットの姿勢が維持され、次の凸部に移動する際には、予め設定された
始動力（回動制動力と同じ）をもって節度ある回動を行うことができる。
【００２４】
また、前述した本発明の構造では、前記バックプレートに設けられた回動規制孔と、該
回動規制孔の中にあって前記時計ユニット支持部材に形成された軸部とによって、前記時
計ユニットが回動する範囲が規制されていることが好ましい。
【００２５】
このような構造にすれば、バックプレートと時計ユニット支持部材とによって、専用の
回動範囲規制部材を用いることなく、時計ユニットの回動範囲を規制することができる。
また、このように回動範囲を規制することで、時計ユニットを回動する際に、装着部材か
ら外れるような位置まで移動することを防止することができる。
【００２６】
さらに、前記時刻表示部を構成する文字板、指針、風防ガラスのいずれかが、前記椀状
凹部に近い曲率を有して湾曲されていることが望ましい。
【００２７】
時刻表示部をこのようにすることで、時計ユニットが所定の範囲内で回動させたときに
、使用者が時刻を読む際に、時刻表示部が視認し易い方向に向いているために、時刻を読
みやすい時計を提供することができる。また、前述したような時計ユニットを装着部材に
対して自在な姿勢に回動することができることと、時刻表示部を時計ユニットの動きに合
った形状に湾曲することによって、使いやすい時計を提供すると共に、斬新なデザインを
提供することができる。
【発明を実施するための最良の形態】
【００２８】
以下、本発明の実施の形態を図面に基づいて説明する。
図１〜図７には、本発明の実施形態１に係る時計が示され、図８には実施形態２に係る
時計、図９には実施形態３に係る時計、図１０には実施形態４に係る時計が示され、図１
１には実施形態５に係る構造の一部の説明図が示されている。
（実施形態１）
【００２９】
図１〜図７には本発明に係る実施形態１の時計が示されている。
図１（ａ）には、本実施形態の時計の外観を示す正面図、図１（ｂ）には、その側面図
が示されている。図１（ａ）、（ｂ）において、本実施形態の時計１０は、装着部材とし
てのバンド８０と、時計ユニット２０と、から構成され、時計ユニット２０は、バンド８
０に対して所定の範囲内において自在に回動可能に装着されている。
【００３０】
時計ユニット２０は、時刻表示部として文字板２１と、時針、分針、秒針から構成され
る指針２２とを備えている。バンド８０は、時計ユニット２０を装着するバンド基部８１
と、バンドの着脱をする美錠８２を備えており、時計ユニット２０は、図１（ｂ）では、
１２時方向（矢印Ｙ１２方向）に回動された状態を示している。
【００３１】
続いて、本実施形態による時計の構造について図面を参照して詳しく説明する。
図２は、実施形態１に係る時計１０の構造を示す断面図である。ここでは、特に時計ユ
ニット２０とバンド８０との装着構造について詳しく説明する。図２において、時計ユニ
ット２０は、図示しないムーブメントと、前述した文字板２１と指針２２とを格納するケ
ース３０と、ケース裏面側に周縁部が接触するように湾曲された円盤状の回動制動力保持
部材としてのラバーカップ４０と、ラバーカップ４０をケース３０に弾性力を付勢する時
計ユニット支持部材５０と、ケース３０とラバーカップ４０と時計ユニット支持部材５０
とを一体化するためのバックプレート６０とから構成されている。
【００３２】
ラバーカップ４０は、ゴム系樹脂から構成され、時計ユニット支持部材５０とバックプ
レート６０とは、ステンレス鋼等の耐食性を有する金属材料から形成されている。
なお、また、ラバーカップ４０は、ゴム系樹脂からなるが、ゴム系樹脂としてはシリコ
ン系ゴム、ウレタン系ゴム、ニトリロゴム（ＮＢＲ）、ブチルゴム（ＩＩＲ）等を採用す
ることができる。これらのゴム系樹脂は、適度な摩擦係数と弾性力を有する。
【００３３】
時計ユニット支持部材５０は、軸部５２の一方の端部が大径の時計ユニット受部５１と
、他端が小径の時計ユニット固定部５３を有し、軸部５２には、時計ユニット２０をバン
ド８０に固定螺子９０によって固定するための雌螺子３４が螺設されている。
【００３４】
バックプレート６０は、外側直径がケース３０と略同じで、椀状形状をしており、周縁
部には４箇所の螺子固定部を有し、中央部には、時計ユニット２０の回動範囲を規制する
ための回動規制孔６１が開設されている。そして、バックプレート６０の椀状凹部内にラ
バーカップ４０と時計ユニット支持部材５０の時計ユニット受部５１を格納した状態で、
固定螺子７０（図は省略）で、ケース３０に螺合固定されることで、時計ユニット２０が
一体化されている。
【００３５】
時計ユニット２０は、バックプレート６０と時計ユニット受部５１とラバーカップ４０
とのそれぞれの面が、弾性力で付勢されて結合されているために、時計ユニット支持部材
５０の軸部５２に回動規制孔６１が当たるまでの範囲で回動することができる構成として
いる。また、バックプレート６０と時計ユニット支持部材５０とラバーカップ４０との間
の付勢力は、時計ユニット２０が、バンド８０に装着された際に、通常の使用環境におい
て、その姿勢が維持できる程度の大きさを有するように設定されている。
【００３６】
バンド８０は、バンド基部８１の中央部の時計ユニット２０が装着される方向にバック
プレート６０の椀状形状と略同じ曲率を有する椀状凹部８８が形成されている。また、中
央部には時計ユニット支持部材５０の時計ユニット固定部５３を挿着するための貫通孔８
４が開設され、バンド基部８１の裏面側には、円盤状の時計ユニット固定部材８５が設け
られている。
【００３７】
時計ユニット２０は、時計ユニット支持部材５０の時計ユニット固定部５３を貫通孔８
４に挿着し時計ユニット固定部材８５と固定螺子９０によってバンド８０に挿着される。
この際、時計ユニット２０は、バンド８０の椀状凹部８８にバックプレート６０が時計ユ
ニット受部５１によって引き上げられ押圧されている。また、同時に、弾性体として形成
される時計ユニット受部５１は、ラバーカップ４０とバックプレート６０との間で所定の
摩擦力を付与していることになる。
【００３８】
時計ユニット固定部材８５の表面は、バンド基部８１の表面と一致し、また、固定螺子
９０の頭部表面は時計ユニット固定部材８５の表面から突出しないように、時計ユニット
固定部材８５には凹部８７が設けられ、この時計１０を腕に挿着したときに、違和感を生
じさせないように各部材の形状が設計されている。
【００３９】
このようにバンドに装着された時計ユニット２０は、バンドの椀状凹部８８に沿って、
バックプレート６０の回動規制孔６１が時計ユニット支持部材５０の軸部５２に当たるま
での範囲で自在に回動させることができる。なお、図２では、時計ユニット２０は、バン
ド８０に対して、１２時の位置を上方にした回動前の初期状態を示している。
【００４０】
続いて、本実施形態に係る時計１０の組み立て方法について、図面を参照して説明する
。
図３には、本実施形態に係る時計１０の分解斜視図が示されている。図３において、ま
ず、ケース３０の裏蓋３１表面にラバーカップ４０を、椀状の凹部を内側にして載置し、
さらに、時計ユニット支持部材５０の時計ユニット受部５１をラバーカップ４０に当接す
るように載置する。
【００４１】
次に、バックプレート６０を裏蓋３１に螺合固定する。バックプレート６０の周縁部に
は、螺子孔６３が等間隔で４本開設され、この螺子孔６３に固定螺子７０を挿入させ、裏
蓋３１に螺設した雌螺子３２との間で螺合固定する。このようにして一体化された時計ユ
ニット２０を、バンド８０のバンド基部８１に形成される椀状凹部８８（図２、参照）に
装着し、固定螺子９０によって時計ユニット支持部材５０を引き上げるようにして、バッ
クプレート６０を椀状凹部８８に押圧して固定する。
【００４２】
なお、バックプレート６０の螺子孔６３の周囲には、固定螺子７０の頭部が、バックプ
レート６０の表面から突出しないように凹部６２が設けられている。
【００４３】
次に、この時計ユニット２０をバンド８０に対して回動させる方法にについて、図面を
参照して説明する。
図４は、指で時計ユニット２０を回動させる方法の一例を示す説明図である。図４にお
いて、時計ユニット２０は、３時方向（Ｘ３で示す）、９時方向（Ｘ９で示す）、及び１
２時方向（Ｙ１２で示す）、６時方向（Ｙ６で示す）に時計ユニットを傾斜させることが
できる他、図中、Ｒで示すように回転することができる。このような、時計ユニット２０
の回動操作は、図で示すように時計を持って片手で行うことができるが、腕に装着した状
態で操作することもできる。
【００４４】
続いて、時計ユニット２０を回動させた時の状態を図面を参照して説明する。
図５、図６は、それぞれ、時計ユニットを図２で説明した状態から、６時方向、及び１
２時方向に傾斜するように回動させた状態を示す断面図である。図５，６において、構成
は図２と同じであるので、構成の説明は省略し、同じ符号を付与して説明する。
【００４５】
図５において、時計ユニット２０は、図中、６時方向（Ｙ６方向）に回動された状態が
示され、このとき、バックプレート６０の回動規制孔６１の１２時方向端面が時計ユニッ
ト支持部材５０の軸部５２の近傍まで移動している。ここで、バックプレート６０の回動
規制孔６１の１２時方向端面が時計ユニット支持部材５０の軸部５２に当接するまで移動
することができ、それ以上は回動しない。
【００４６】
図６において、時計ユニット２０は、図２で示した状態から、図中、１２時方向（Ｙ１
２方向）に回動された状態が示され、このとき、バックプレート６０の回動規制孔６１の
６時方向端面が時計ユニット支持部材５０の軸部５２の近傍まで移動している。ここで、
バックプレート６０の回動規制孔６１の６時方向端面が時計ユニット支持部材５０の軸部
５２に当接するまで移動することができ、それ以上は回動しない。
【００４７】
前述した図５，６では、時計ユニット２０を６時方向及び１２時方向に傾斜する例を示
しているが、時計ユニット２０は、図４に示すＸ３またはＸ９方向、Ｙ６またはＹ１２方
向に傾斜させた状態で回転させる（図４においてＲで示す）ことが可能である。
【００４８】
このように、回動規制孔６１と軸部５２とが当接するまでの間の範囲で時計ユニット２
０は回動することができる。ここで、本実施形態では、さらに、時計ユニット２０が所望
の姿勢になるまで回動したときに、時刻指示部が時計装着者に視認しやすいように工夫を
加えている。
図７は、時計ユニットのケース３０の時刻表示部について示す断面図である。ここで示
す時刻表示部は、時計装着者に視認しやすいように湾曲されていることに特徴を有してお
り、基本構成は変わらないので、時刻表示部のみを説明し、同じ符合を付与している。
【００４９】
図７において、ムーブメント２６上に載置された文字板２１の表面は、椀状に湾曲され
ており、この椀状形状の曲率は、前述したバンド８０の椀状凹部８８の曲率に近い大きさ
で設定されている。また、時針２３、分針２４、秒針２５も、文字板２１の表面形状に沿
って椀曲されている。
【００５０】
風防ガラス９５の表面９６も同様に、文字板２１の表面にほぼ倣った椀状に形成されて
いる。ケース３０は、風防ガラス９５とケースの胴３３と裏蓋３１とで、時刻表示部とム
ーブメント２６とを格納している。
【００５１】
このように時刻表示部が構成されていることで、時計ユニット２０を回動したときに、
時刻表示部が、装着者の方向に向くため、時計ユニットがどのような姿勢になっていても
、装着者は時刻を読み取り易くなっている。
【００５２】
従って、前述した実施形態１によれば、時計ユニット２０が、バンド８０に対して回動
自在な構造であるために、時計ユニット２０を腕に装着する際に、バンド８０に対して（
つまり装着する腕に対して）断面方向へ傾斜させる、或いは、回転させることによって、
時刻表示部が使用者にとって視認しやすい姿勢に保持することができる。
【００５３】
また、時計ユニット２０は、バンド８０の椀状凹部８８の表面に沿って摺動するので、
時計ユニットの装着姿勢を自在に選択できる他、所定の回動制動力を有しているので、通
常の生活環境において、無意識に時計ユニット２０が回動してしまうことがない。
【００５４】
また、本実施形態による時計１０は、前述したような構造であり、本発明の目的を実現
するための構造は簡単であり、構成部品数も少なくでき、また、構成部品の製造も容易で
あり、時計ユニット２０が自在に回動できる機能を備えながら低コストの時計を実現する
ことができる。
【００５５】
また、前述したように回動制動力保持部材としてラバーカップ４０を備えているので、
適度な摩擦力と耐久性を得ることができる。このことによって、時計ユニット２０とバン
ド８０との回動制動力を安定して維持することができる。これらの材料は一般にパッキン
等に使用されるもので安価に入手することができ、また、加工性、取り扱い性が容易で、
耐薬品性などの環境特性にも優れ、長期間にわたって初期の性能を維持することができる
。
【００５６】
また、前述した本発明の構造では、バックプレート６０に設けられた回動規制孔６１と
、時計ユニット支持部材５０に形成された軸部５２とによって、時計ユニット２０が回動
する範囲が規制されているので、専用の回動範囲規制部材を用いることなく、時計ユニッ
ト２０の回動範囲を規制することができる。また、このように回動範囲を規制することで
、時計ユニット２０を回動する際に、バンド８０から外れるような位置まで移動すること
を防止することができる。
【００５７】
さらに、時刻表示部を構成する文字板２１、指針２２（２３，２４，２５）、風防ガラ
ス９５が、椀状凹部８８に近い曲率を有して湾曲されているために、時計ユニット２０が
所定の範囲内で回動されたときに、使用者が時刻を読む際に、時刻表示部が視認し易い方
向に向いているために時刻を読み易い時計を提供することができる。また、前述したよう
な時計ユニット２０をバンド８０に対して自在な姿勢に回動することができることと、時
刻表示部を時計ユニット２０の動きに合った形状に湾曲することによって、使いやすい時
計を提供すると共に、斬新なデザインを提供することができる。
（実施形態２）
【００５８】
続いて、本発明に係る実施形態２について図面を参照して説明する。
図８には、実施形態２に係る時計１０の断面図が示されている。実施形態２は、前述の
実施形態１の技術思想を基本に、ラバーカップ４０をなくし、構造を簡素化したことに特
徴を有し、実施形態１と異なる点について説明する。図８において、ケース３０の裏蓋３
１は、表面が、周縁部を残して椀状凹部８８（図２、参照）と略同じ曲率を有して椀状に
突出して形成されている。
【００５９】
この裏蓋３１の椀状突出部に時計ユニット支持部材５０の時計ユニット受部５１が当接
されている。この時計ユニット受部５１は、薄い円盤状をしており、軸部５２を除いて弾
性を有しており、時計ユニット２０をバンド８０に装着する際に、裏蓋３１を時計ユニッ
ト受部５１の弾性力で付勢し、所定の摩擦力を得て、前述の実施形態１と同様に椀状凹部
８８とバックプレート６０との間の摩擦力とを合わせて回動制動規制力が得られる。
【００６０】
従って、このような実施形態２によれば、回動制動規制力を制御するため、時計ユニッ
ト受部５１、裏蓋３１、バックプレート６０等のそれぞれの係合部の形状を精密に管理す
る必要はあるが、実施形態１で説明したラバーカップ４０をなくして、より簡単な構造で
本発明の目的を実現することができる。
（実施形態３）
【００６１】
続いて、本発明に係る実施形態３について図面を参照して説明する。実施形態３は、前
述の実施形態２の考え方を基本とし、裏蓋３１と時計ユニット受部５１との間の回動制動
規制力をより安定的に得ようとするもので、実施形態２との相違個所のみを説明する。
図９には、実施形態３に係る時計１０の断面図が示されている。図９において、時計ユ
ニット支持部材５０を構成する時計ユニット受部５１の裏蓋３１との接触面に、ゴム系樹
脂の皮膜５５が形成されている。
【００６２】
この皮膜５５は、前述の実施形態１において説明したラバーカップ４０と同様な材料を
採用することができる。
【００６３】
なお、図９では、ゴム系樹脂の皮膜５５は、時計ユニット受部５１と裏蓋３１との接触
面にのみ形成したが、バックプレート６０との接触面に形成することができる、また、両
方に形成することができる。
【００６４】
従って、前述の実施形態３によれば、前述した実施形態１によるラバーカップ４０をな
くし、時計ユニット支持部材５０と裏蓋３１との接触面において、皮膜の摩擦力によって
適切な回動制動力を得ることができ、また、皮膜５５によって、係合する部品同士の寸法
のばらつきを吸収できるため、構成部品数を減じても、安定した回動制動力を得ることが
できる。
（実施形態４）
【００６５】
続いて、本発明に係る実施形態４について図面を参照して説明する。実施形態４は、実
施形態１と比べ、バックプレート６０とバンド８０の椀状凹部８８との間にリング状の回
動制動力保持部材を設けたもので、それ以外の構造は実施形態１（図２、参照）と同じで
あるため説明を省略し、共通部分には同じ符号を付与している。
【００６６】
図１０は、実施形態４に係る時計１０を示している。図１０において、バンド８０には
、椀状凹部８８のバックプレート６０との接触面の範囲（摺動可能範囲）にリング状のパ
ッキン溝８９が形成され、そのパッキン溝８９内部に断面が円形のゴム系樹脂からなる回
動制動力保持部材としてのパッキン９８が備えられている。
【００６７】
そして、パッキン溝８９にパッキン９８を挿着し、時計ユニット２０をバンド８０に装
着する。この際、バックプレート６０によって、パッキン９８が押圧される。このパッキ
ン９８は、時計ユニット２０が回動される範囲において、バックプレート６０との係合が
外れない範囲にある。
【００６８】
なお、このような実施形態４の構造は、前述した実施形態２（図８、参照）、実施形態
３（図９、参照）の構造にも応用することができる。また、パッキン９８の材質としては
、防水性能に優れ、対環境特性にも優れるニトリロゴム（ＮＢＲ）、ブチルゴム（ＩＩＲ
）等を採用することがより好ましい。
【００６９】
従って、前述した実施形態４によれば、バックプレート６０とバンド８０に形成される
椀状凹部８８との間のパッキン９８によって所望の回動制動力を得ることができ、また、
この回動制動力保持部材としてのパッキン９８は、時計ユニット２０とバンド８０との間
に備えられることになるため、バックプレート６０と裏蓋３１との間に水分や塵埃等の進
入を防止するパッキンとしての機能も有し、バックプレート６０と裏蓋３１の間の構成部
品の防錆効果を得ることができるという効果がある。
【００７０】
なお、このように備えられるパッキンは他の位置にも設けることができる。例えば、時
計ユニット固定部材８５と時計ユニット支持部材５０の時計ユニット固定部５３との間、
或いは、バックプレート６０と裏蓋３１との接合部の間にも設けることができる。
【００７１】
このようにすれば、時計ユニット２０とバンド８０との装着部分が優れた防水性、防塵
性を有し、長期間にわたって、前述してきた本発明の効果を維持することができる。
（実施形態５）
【００７２】
続いて、本発明に係る実施形態５について図面を参照して説明する。実施形態５は、前
述の実施形態１〜実施形態４が、摺動して回動されるものに対し、時計ユニット２０をバ
ンド８０に対して節度のある回動を得ようとするもので、基本構成は前述した実施形態２
（図８、参照）と同じであるため、相違個所のみを説明する。
図１１は、実施形態５に係る時計１０の構造の一部を示す説明図である。図１１におい
て、ケース３０の裏蓋３１の表面には、円形の凹部３１Ａがそれぞれ凹凸の位相（相互位
置）を同じにして、ほぼ全面に形成されている。このような凹部３１Ａは、ゴルフボール
のカバーに形成されるディンプルと似ている。
【００７３】
また、この裏蓋３１に対向する時計ユニット支持部材５０の時計ユニット受部５１の表
面には、前述の裏蓋３１に形成されている凹部３１Ａに対応する位置に、凹部３１Ａより
も僅かに小さい円形の凸部５１Ａが形成されている。これら、凹部３１Ａと凸部５１Ａと
は、それぞれの位相が一致しているときには、凹部３１Ａ内に凸部５１Ａが入り込んで、
時計ユニット２０の姿勢（回動位置）が規制される。
【００７４】
その状態から時計ユニット２０の姿勢を移動しようとすると、凸部５１Ａが凹部３１Ａ
の壁を乗り越えようするので、回動制動規制力が発生する。このように、凸部５１Ａが、
次の凹部３１Ａの位置まで移動するときには、１ピッチづつの節度ある動きとなる。
【００７５】
従って、前述の実施形態５によれば、これら凹部３１Ａと凸部５１Ａとはそれぞれ位相
を一致しているので、凸部５１Ａが凹部３１Ａと位置が一致したときには、時計ユニット
２０の姿勢が維持され、次の凸部５１Ａ（または凹部３１Ａ）に移動する際には、予め設
定された始動力（回動制動力と同じ）をもって節度ある回動を行うことができる。
また、このようにすれば、外部からの衝撃力では、回転力が加わる方向が、時計ユニッ
ト２０の回動方向と一致しなければ、意識しないときに時計ユニット２０が回動してしま
う確立を減少させることができる。
【００７６】
なお、前述の実施形態５では、形成される凸部５１Ａまたは凹部３１Ａは、ゴルフボー
ルのディンプルに類似した例を示したが、この凹凸のピッチ、形状は、時計ユニット２０
の所望の動きに（動きのピッチ）合わせて任意に設定することができる。
【００７７】
また、図１１では、凹凸は、裏蓋３１と時計ユニット受部５１との間に形成しているが
、バックプレート６０とバンド８０の椀状凹部８８との間に形成しても同様な効果を得る
ことができる。
【００７８】
なお、本発明は前述の実施形態に限定されるものではなく、本発明の目的を達成できる
範囲での変形、改良等は本発明に含まれるものである。
例えば、前述の実施形態１（図７、参照）では、時刻支持部を構成する文字板２１、指
針２２（時針２３、分針２４、秒針２５）、風防ガラス９５をそれぞれ時計の視認側が凹
となるように構成されているが、指針２２以外は、必ずしも同等に湾曲させなくてもよく
、指針２２の駆動に影響がない範囲で曲率を変えてもよい。
【００７９】
また、時刻表示部を視認方向に凹としているが、逆に凸とすることもでき、このように
すれば、一層、斬新なデザインの時計を提供することができる。
【００８０】
また、前述の実施形態１〜実施形態５では、バンド８０は、バンド基部８１と美錠８２
で構成されているが、バンド８０とバンド基部８１とを別体にし、ばね棒等で連結する構
造とすることができる。このような構造で、バンド基部８１を金属にすれば、前述した、
時計ユニット２０をバンドに装着するための時計ユニット固定部材８５をバンド基部８１
と一体で構成することができる。
【００８１】
また、バンド基部８１をプラスチック等を射出成形によって製造する場合には、金属製
の時計ユニット固定部材８５をインサートして形成することもできる。
【００８２】
このようにすれば、時計ユニット２０とバンド８０との装着、固定部の構造をより一層
簡素化することができる。このことと、前述の実施形態１〜実施形態５の構造を含め、バ
ンドの素材或いはケースの素材に拘わらず、本発明を実施することができる。
【００８３】
さらに、前述の実施形態１〜実施形態５では、時計ユニットの回動制動力は、時計ユニ
ット支持部材５０とラバーカップ４０または裏蓋３１との間の摩擦力と、時計ユニット支
持部材５０とバックプレート６０及びバックプレート６０と椀状凹部８８との間の摩擦力
の和によって得ることができるが、時計ユニット支持部材５０の時計ユニット受部５１の
大きさ、弾性係数とを適宜設定すれば、時計ユニット支持部材５０とバックプレート６０
及びバックプレート６０と椀状凹部８８との間の摩擦力だけで得ることができる。
【００８４】
さらには、前述の実施形態１〜実施形態５では、時計としては腕時計を例示して説明し
たが、腕時計に限らず他の掛け時計、置き時計等のクロックにも応用することができる。
例えば、時刻指示部を含む時計ユニットと時計懸架部との間に、本発明による時計ユニッ
トを回動する構造を採用することができる。
【００８５】
このようにすれば、時計本体としての時計懸架部の姿勢は変えずに、時刻指示部の方向
だけを自在に変えることができる。
【００８６】
従って、前述の実施形態１〜実施形態５によれば、時計ユニット２０をバンド８０に対
して所定の範囲内において、自在に回動することができ、時刻表示が視認し易く、斬新な
デザインの時計を低コストで提供することができる。
【図面の簡単な説明】
【００８７】
【図１】（ａ）は、本発明の実施形態１に係る時計の外観を示す正面図。（ｂ）は、外観を示す側面図。
【図２】本発明の実施形態１に係る時計の構造を示す断面図。
【図３】本発明の実施形態１に係る時計の構成を示す分解斜視図。
【図４】本発明の実施形態１に係る時計の回動方法の一例を示す説明図。
【図５】本発明の実施形態１に係る時計を６時方向に回動させたときの断面図。
【図６】本発明の実施形態１に係る時計を１２時方向に回動させたときの断面図。
【図７】本発明の実施形態１に係る時計ユニットの時刻表示部について示す断面図。
【図８】本発明の実施形態２に係る時計の構造を示す断面図。
【図９】本発明の実施形態３に係る時計の構造を示す断面図。
【図１０】本発明の実施形態４に係る時計の構造を示す断面図。
【図１１】本発明の実施形態５に係る時計の構造の一部を示す説明図。
【符号の説明】
【００８８】
１０…時計、２０…時計ユニット、３０…ケース、５０…時計ユニット支持部材、６０
…バックプレート、８０…装着部材としてのバンド、８８…椀状凹部、８５…時計ユニッ
ト固定部材。
【図２】
2006201052.tif 000003
【図５】
2006201052.tif 000004
【図６】
2006201052.tif 000005
【図７】
2006201052.tif 000006
【図８】
2006201052.tif 000007
【図９】
2006201052.tif 000008
【図１０】
2006201052.tif 000009
【図１１】
2006201052.tif 000010
【図１】
2006201052.tif 000011
【図３】
2006201052.tif 000012
【図４】
2006201052.tif 000013